(57)【要約】  【課題】表示信号とタッチ信号とが干渉することなく、タッチ効果と表示の品質に影響を改善するタッチ機能を有する表示パネル及びタッチ検知方法を提供する。【解決手段】  表示パネルが表示部材とタッチ部材とを含んでなり、かつ該該表示部材が予め設定された方向に沿って間隔を置いて配列するゲート線と、該ゲート線を駆動するために用いるゲートドライバとを含み、該タッチ部材が予め設定された方向に沿って間隔を置いて配列するタッチ電極と、該タッチ電極を駆動するために用いるタッチドライバとを含み、該ゲートドライバがゲート線に対して順にゲート駆動の動作を行ない、同一の表示フレームの隣り合うゲートドライバの動作の間に第１タイムスロットを設け、隣り合う２つの表示フレームの隣り合うゲートドライバの動作の間に第２タイムスロットを設け、該タッチドライバが第１タイムスロットと第２タイムスロット内においてタッチ電極に対して順にタッチ駆動の動作を行なう。【選択図】図１
2018508854.tif 000002
【特許請求の範囲】
【請求項１】
表示部材とタッチ部材とコモン電極とを含んでなる表示パネルであって、該表示部材と該タッチ部材とが該コモン電極を共用し、
該表示部材は予め設定された方向に沿って間隔を置いて配列するゲート線と、該ゲート線を駆動するために用いるゲートドライバとを含み、該タッチ部材は予め設定された方向に沿って間隔を置いて配列するタッチ電極と、該タッチ電極を駆動するために用いるタッチドライバとを含み、
該ゲートドライバは該ゲート線に対してゲート駆動の動作を順に行ない、同一の表示フレームの隣り合う２つのゲート駆動動作の間に第１タイムスロットを設け、かつ隣り合う２つの表示フレームの隣り合う２つのゲート駆動の動作の間に第２タイムスロットを設け、
該タッチドライバが該第１タイムスロットと該第２タイムスロットにおいて該タッチ電極に対してタッチ駆動の動作を順に行うとともに、該表示部材が該第１タイムスロットと該第２タイムスロットにおいて、かつ該コモン電極の電圧が安定してからタッチ駆動の動作を行い、
該表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なうことを特徴とするタッチ機能を有する表示パネル。
【請求項２】
該エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なうことを特徴とする請求項１に記載のタッチ機能を有する表示パネル。
【請求項３】
前記表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、
該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なうことを特徴とする請求項１に記載のタッチ機能を有する表示パネル。
【請求項４】
表示部材とタッチ部材とコモン電極とを含んでなる表示パネルであって、
該表示部材は予め設定された方向に沿って間隔を置いて配列するゲート線と、該ゲート線を駆動するために用いるゲートドライバとを含み、該タッチ部材は予め設定された方向に沿って間隔を置いて配列するタッチ電極と、該タッチ電極を駆動するために用いるタッチドライバとを含み、
該ゲートドライバは該ゲート線に対してゲート駆動の動作を順に行ない、同一の表示フレームの隣り合う２つのゲート駆動動作の間に第１タイムスロットを設け、かつ隣り合う２つの表示フレームの隣り合う２つのゲート駆動の動作の間に第２タイムスロットを設け、
該タッチドライバが該第１タイムスロットと該第２タイムスロットにおいて該タッチ電極に対してタッチ駆動の動作を順に行うことを特徴とするタッチ機能を有する表示パネル。
【請求項５】
該表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なうことを特徴とする請求項４に記載のタッチ機能を有する表示パネル。
【請求項６】
前記エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なうことを特徴とする請求項５に記載のタッチ機能を有する表示パネル。
【請求項７】
前記表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、
該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なうことを特徴とする請求項４に記載のタッチ機能を有する表示パネル。
【請求項８】
前記表示パネルが、さらにコモン電極を含み、かつ該表示部材と該タッチ部材とが該コモン電極を共用し、該表示部材が該第１タイムスロットと該第２タイムスロットであって、かつ該コモン電極の電圧が安定してからタッチ駆動の動作を行なうことを特徴とする請求項４に記載のタッチ機能を有する表示パネル。
【請求項９】
表示部材とタッチ部材とを含んでなり、かつ該表示部材が予め設定された方向に沿って間隔を置いて配列するゲート線と、該ゲート線を駆動するために用いるゲートドライバとを含み、該タッチ部材が予め設定された方向に沿って間隔を置いて配列するタッチ電極と、該タッチ電極を駆動するために用いるタッチドライバとを含む表示パネルにおいて行なうタッチ検知方法であって、
ゲートドライバがゲート線に対して順にゲート駆動の動作を行ない、
同一の表示フレームの隣り合うゲートドライバの動作の間に第１タイムスロットを設け、隣り合う２つの表示フレームの隣り合うゲートドライバの動作の間に第２タイムスロットを設け、
該タッチドライバが第１タイムスロットと第２タイムスロット内においてタッチ電極に対して順にタッチ駆動の動作を行なうことを含む、ことを特徴とするタッチパネルの検知方法。
【請求項１０】
前記表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なうことを特徴とする請求項９に記載のタッチ検知方法。
【請求項１１】
前記エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なうことを特徴とする請求項１０に記載タッチ検知方法。
【請求項１２】
前記表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、
該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なうことを特徴とする請求項９に記載のタッチ検知方法。
【請求項１３】
前記表示パネルが、さらにコモン電極を含み、かつ該表示部材と該タッチ部材とが該コモン電極を共用し、該表示部材が該第１タイムスロットと該第２タイムスロットであって、かつ該コモン電極の電圧が安定してからタッチ駆動の動作を行なうことを特徴とする請求項９に記載のタッチ検知方法。
【発明の詳細な説明】
【技術分野】
【０００１】
この発明は、液晶表示技術に関し、特にタッチ機能を有する表示パネル及びタッチ検知方法に関する。
【背景技術】
【０００２】
目下タッチ機能と表示機能を一体化した表示パネルが
日増しに注目を集めている。静電容量方式のタッチ機能を画素に埋め込んだインセル技術は、表示パネルの薄型化と軽量化を実現するという長所を有し、この分野における発展の趨勢がますます強まっている。インセル技術を採用した表示パネルは、通常電極の駆動頻度がゲート線の走査駆動の頻度より高い。このため、同一つフレームの走査の過程において、表示信号とタッチ信号との間に重畳現象が存在する。よって、互いに干渉し、液晶表示パネルのタッチ効果と表示の品質に影響を与える。
【発明の概要】
【発明が解決しようとする課題】
【０００３】
この発明は、表示信号とタッチ信号とが干渉することなく、タッチ効果と表示の品質に影響を改善するタッチ機能を有する表示パネル及びタッチ検知方法を提供することを課題とする。
【課題を解決するための手段】
【０００４】
この発明の採用する技術プランは次のとおりである。即ち、表示部材とタッチ部材とコモン電極とを含んでなる表示パネルであって、該表示部材と該タッチ部材とが該コモン電極を共用し、  該表示部材は予め設定された方向に沿って間隔を置いて配列するゲート線と、該ゲート線を駆動するために用いるゲートドライバとを含み、該タッチ部材は予め設定された方向に沿って間隔を置いて配列するタッチ電極と、該タッチ電極を駆動するために用いるタッチドライバとを含み、該ゲートドライバは該ゲート線に対してゲート駆動の動作を順に行ない、同一の表示フレームの隣り合う２つのゲート駆動動作の間に第１タイムスロットを設け、かつ隣り合う２つの表示フレームの隣り合う２つのゲート駆動の動作の間に第２タイムスロットを設け、該タッチドライバが該第１タイムスロットと該第２タイムスロットにおいて該タッチ電極に対してタッチ駆動の動作を順に行うとともに、該表示部材が該第１タイムスロットと該第２タイムスロットにおいて、かつ該コモン電極の電圧が安定してからタッチ駆動の動作を行い、該表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なう。
【０００５】
該エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なう。
【０００６】
該表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なう。
【０００７】
この発明の採用する他の技術プランは次のとおりである。即ち、表示部材とタッチ部材とコモン電極とを含んでなる表示パネルであって、  該表示部材は予め設定された方向に沿って間隔を置いて配列するゲート線と、該ゲート線を駆動するために用いるゲートドライバとを含み、該タッチ部材は予め設定された方向に沿って間隔を置いて配列するタッチ電極と、該タッチ電極を駆動するために用いるタッチドライバとを含み、該ゲートドライバは該ゲート線に対してゲート駆動の動作を順に行ない、同一の表示フレームの隣り合うゲート駆動動作の間に第１タイムスロットを設け、かつ隣り合う２つの表示フレームの隣り合う２つのゲート駆動の動作の間に第２タイムスロットを設け、該タッチドライバが該第１タイムスロットと該第２タイムスロットにおいて該タッチ電極に対してタッチ駆動の動作を順に行う。
【０００８】
該表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なう。
【０００９】
該エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なう。
【００１０】
該表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なう。
【００１１】
該表示パネルが、さらにコモン電極を含み、かつ該表示部材と該タッチ部材とが該コモン電極を共用し、該表示部材が該第１タイムスロットと該第２タイムスロットであって、かつ該コモン電極の電圧が安定してからタッチ駆動の動作を行なう。
【００１２】
また、この発明が別途採用する技術プランは表示パネルのタッチ検知方法であって、表示部材とタッチ部材とを含んでなり、かつ該表示部材が予め設定された方向に沿って間隔を置いて配列するゲート線と、該ゲート線を駆動するために用いるゲートドライバとを含み、該タッチ部材が予め設定された方向に沿って間隔を置いて配列するタッチ電極と、該タッチ電極を駆動するために用いるタッチドライバとを含む表示パネルにおいて行なうタッチ検知方法であって、ゲートドライバがゲート線に対して順にゲート駆動の動作を行ない、同一の表示フレームの隣り合うゲートドライバの動作の間に第１タイムスロットを設け、隣り合う２つの表示フレームの隣り合うゲートドライバの動作の間に第２タイムスロットを設け、該タッチドライバが第１タイムスロットと第２タイムスロット内においてタッチ電極に対して順にタッチ駆動の動作を行なうことを含む。
【００１３】
該表示パネルを予め設定された方向に沿って複数のエリアブロックに分割し、かつそれぞれのエリアブロックが複数のゲート線と複数のタッチ電極を含むとともに、それぞれの該エリアブロックにおいて該ゲート線の数が該タッチ電極の数より多く、隣り合うゲート駆動の動作とタッチ駆動の動作が異なるエリアブロックに位置し、それぞれの表示フレームにおいて該タッチドライバが同一の該タッチ電極に対してタッチ駆動の動作を少なくとも２回行なう。
【００１４】
該エリアブロック毎の内部の該ゲート線の数が該タッチ電極の数の２倍であって、該タッチドライバが該第２タイムスロットにおいて第１エリアブロックと最後のエリアブロック内のタッチ電極に対してタッチ駆動の動作を行ない、かつ該第１タイムスロットにおいて、該エリアブロックの内のその他エリアブロックのタッチ電極にタッチ駆動の動作を行ない、それぞれの表示フレーム内で該タッチドライバが同一の該タッチ電極に対して２回のタッチ駆動の動作を行なう。
【００１５】
該表示部材が、間隔を置いて配列され、かつゲート線と絶縁して交差する複数のデータ線と、該データ線を駆動するデータドライバとを含み、
該ゲート線と該データ線とによって、複数のアレイ方式で配列される画素領域を定義し、該表示部材が、それぞれの画素領域に設けるＴＦＴと画素電極とを更に含み、該ＴＦＴのゲート電極が該ゲート線に対応して接続し、該ＴＦＴのソース電極が該データ線に対応して接続し、該ＴＦＴのドレイン電極が該画素電極に接続し、該ゲートドライバがゲート駆動の動作を実行する場合、該データドライバが同期して該データ線にグレイスケール駆動の動作を行なう。
【００１６】
該表示パネルが、さらにコモン電極を含み、かつ該表示部材と該タッチ部材とが該コモン電極を共用し、該表示部材が該第１タイムスロットと該第２タイムスロットであって、かつ該コモン電極の電圧が安定してからタッチ駆動の動作を行なう。
【発明の効果】
【００１７】
この発明によるタッチ機能を具える表示パネルは、同一の表示フレームの隣り合うゲートドライバの動作の間に第１タイムスロットを設け、隣り合う２つの表示フレームの隣り合うゲートドライバの動作の間に第２タイムスロットを設け、該タッチドライバが第１タイムスロットと第２タイムスロット内においてタッチ電極に対して順にタッチ駆動の動作を行なう。
よって、表示信号とタッチ信号とが干渉することなく、タッチ効果と表示の品質に影響を改善する。
【図面の簡単な説明】
【００１８】
【図１】この発明の実施例による表示パネルの構造を示した説明図である。
【図２】この発明の実施例による表示部材の構造を示した説明図である。
【図３】この発明の実施例におけるゲート線とタッチ電極の信号のシーケンス図である。
【図４】この発明の他の実施例による表示パネルの構造を示した説明図である。
【図５】この発明の実施例によるタッチ検知方法を示したフローチャートである
【発明を実施するための形態】
【実施例１】
【００１９】
以下、具体的な実施例を挙げ、図面を参照にしてこの発明の技術プランについて完全に詳述する。但し、以下に述べるこの発明の実施例は、この発明の実施の形態の一つに過ぎず、全ての意実施の形態を包括するものではない。よって、この発明の実施の形態に基づき、かつ創作的な作業をすることなく、係る前提下でなし得るその他の実施の形態は、いずれもこの発明の特許請求の範囲に含まれる。
【００２０】
図１は、この発明の実施例による表示パネルの構造を示した説明図である。図面に開示するように、実施例による（液晶）表示パネルは、表示部材１１と、タッチ部材１２とを含む。タッチ部材１２は、液晶表示パネルのタッチ機能を実現するものである。タッチ部材１２は予め設定された方向に沿って間隔をおいて配列するタッチ電極１２１と、タッチ駆動電極１２１に用いるタッチドライバ１２２とを含む。タッチ電極１２１は短冊状を呈するように配列する。
【００２１】
図２は、図１に開示する表示部材の実施例の構造を示した説明図である。図面に開示するように、表示部材１１はタッチ機能を具えない液晶表示パネルである。実施例における表示部材１１は、ゲートドライバ１１１と、データドライバ１１２と、予め設定された方向に沿って間隔を置いて配列する複数のゲート線Ｇ１，Ｇ２，…，Ｇｎと、間隔を置いて配列され、かつゲート線Ｇ１，Ｇ２，…，Ｇｎと絶縁して交差する複数のデータ線Ｄ１，Ｄ２，…，Ｄｎとを含む。複数のゲート線と複数のデータ線とによって、複数のアレイ方式で配列される画素領域１１３を定義する。
【００２２】
それぞれの画素領域１１３は薄膜トランジスタ（Ｔｈｉｎ  Ｆｉｌｍ  Ｔｒａｎｓｉｓｔｏｒ，ＴＦＴ）Ｔと画素電極Ｐとを含み、画素電極Ｐはコモン電極１３と対向させて設ける。薄膜トランジスタＴは、ゲート電極ｇと、ソース電極ｓと、ドレイン電極ｄとを含み、画素電極Ｐはドレイン電極ｄに対応して接続する。ゲート線はゲート電極ｇに対応して接続する。データ線はソース電極ｓに対応して接続する。薄膜トランジスタＴがオンの場合、ソース電極ｓを介してデータ駆動信号が対応する画素電極Ｐに伝送される。
【００２３】
ゲートドライバ１１１は、複数のゲート線Ｇ１，Ｇ２，…，Ｇｎに対して順にゲート駆動信号を提供し、複数のゲート線Ｇ１，Ｇ２，…，Ｇｎが順にゲート駆動の動作を行ない、かつそれぞれのゲート線に対応する薄膜トランジスタＴを起動する。データドライバ１１２は複数のデータ線Ｄ１，Ｄ２，…，Ｄｎに対してグレイスケール駆動信号を提供し、複数のデータ線Ｄ１，Ｄ２，…，Ｄｎが順にグレイスケール駆動の動作を行い、かつ起動した薄膜トランジスタＴを介して対応する画素電極Ｐにグレイスケール駆動信号を印加する。実施例において、ゲートドライバ１１１がゲート駆動の動作を行なう場合、データドライバ１１２は同期してデータ線にグレイスケール駆動を行なう。
【００２４】
実施例において、同一のゲート線が複数の画素領域１１３に対応して駆動する。画素領域１１３は図２に開示するカラーＧ（緑、Ｇｒｅｅｎ）、Ｒ（赤、Ｒｅｄ）、Ｂ（青、Ｂｌｕｅ）をそれぞれ表示する。ゲート線がゲート駆動信号を伝送する場合、同一のゲート線が駆動する複数の画素領域１１３の薄膜トランジスタＴは、いずれもオンとなる。同時に、複数のデータ線Ｄ１，Ｄ２，…，Ｄｎはグレイスケール駆動信号を対応する画素電極Ｐに伝送して、異なるカラーを表示する画素領域１１３に充電を行なう。
【００２５】
図３は、この発明の実施例におけるゲート線とタッチ電極の信号のシーケンス図である。図３に開示するように、タッチドライバ１２２はタッチ信号Ｔｘを出力してタッチ電極１２１を制御し、タッチ検知の動作を行なう。ゲート線Ｇ１〜Ｇｎは同一の表示フレームに対応し、ゲート線Ｇ１〜Ｇｎとゲート線Ｇ１は、隣り合う２つの表示フレームに対応する。同一の表示フレームにおいて、隣り合う２つのゲートドライバの動作の間には、第１タイムスロットｔ１を具え、隣り合う２つの表示フレームに対して隣り合う２つのゲートドライバが動作を行なう。例えば、ゲートＧ１線とゲート線Ｇｎとの間には第２タイムスロットｔ２が存在し、タッチドライバ１２２が第１タイムスロットｔ１と第２タイムスロットｔ２においてタッチ電極１２１に対して順にタッチ駆動の動作を行なう、よって、表示信号（ゲート駆動信号）とタッチ信号との間には重畳が存在せず、互いの干渉を解消し、表示パネルのタッチ効果と表示の品質を改善することができる。
【実施例２】
【００２６】
図４は、他の実施例による表示パネルの構造を示した説明図であって、図４を参照してこの発明の実施例の表示とタッチ検知の過程を以下に詳述する。
【００２７】
図４に開示するように、表示パネルを予め設定した方向に沿ってエリアブロックＺ１，Ｚ２，…，Ｚｍに分割する。それぞれのエリアブロックは、複数のゲート線と複数のタッチ電極１２１とを含み、かつそれぞれのエリアブロックのゲート線の数をタッチ電極１２１の数より多くする。隣り合うゲートの駆動動作とタッチ駆動動作は、異なるエリアブロックに位置し、かつそれぞれの表示フレームにおいて、タッチドライバ１２２は同一のタッチ電極１２２に対してタッチ駆動動作を少なくとも２回行なう。
【００２８】
例えば、解像度が９６０＊５４０の表示パネルは９６０本のゲート線（ｎ＝９６０）を具え、データ線の延伸する方向に沿って表示パネルを２０のエリアブロック（ｍ＝２０）に分割することができる。一つ毎のエリアブロックは４８本のゲート線を含む。仮にそれぞれの表示フレーム内のタッチドライバ１２２が同一のタッチ電極１２１に２回のタッチ駆動を行なうと、同一の表示フレームにおいて、タッチ駆動の動作がエリアブロックＺ１に位置する場合はゲート駆動の動作を行わない。タッチ駆動がエリアブロックＺ２に位置する場合は、その隣り合うゲート駆動の動作がエリアブロックＺ１の上半部に位置する。タッチ駆動の動作がエリアブロックＺ３に位置する場合、その隣り合うゲート駆動動作がエリアブロックＺ１の下半部に位置する。タッチ駆動がエリアブロックＺ２０に位置する場合、その隣り合うゲート駆動の動作はエリアブロックＺ２０に未だ達していない。即ち、ゲート駆動信号をタッチ信号との間には重畳が存在しない。
【００２９】
言い換えれば、エリアブロック毎の内部のゲート線の数はタッチ電極１２１の数の２倍といった状況になる。仮に表示パネルを２０のエリアブロックに分割した場合、それぞれのエリアブロックは４８本のゲート線を含み、１つ毎のエリアブロックのタッチ電極１２１を駆動するために２４個設ける。タッチ電極１２１の駆動頻度は正常な表示時におけるゲート線の駆動頻度より高い。タッチドライバ１２２は第２タイムスロットｔ２内で第１エリアブロックＺ１と最後のエリアブロックＺｍ内のタッチ電極１２１に対してタッチ駆動の動作を行なう。而も、第１タイムスロットｔ１内において、エリアブロックの内のその他エリアブロックのタッチ電極１２１にタッチ駆動の動作を行ない、それぞれの表示フレーム内でタッチドライバ１２２が同一のタッチ電極１２１に対して２回のタッチ駆動の動作を行なう。
【００３０】
当然のことながら、それぞれのエリアブロックのゲート線の数とタッチ電極１２１の数に基づき、それぞれの第１タイムスロックｔ１でタッチ駆動を１回行ない、第２スロットｔ２で他の数の複数回のタッチ駆動を行なうように設置してもよい。
【００３１】
この発明の実施例による表示パネルは、さらにコモン電極を具える。コモン電極は表示パネルのカラーフィルタ基板上に設ける。これに対応して表示部材１１を表示パネルのアレイ基板上に設ける。表示部材１１とタッチ部材１２はコモン電極１２を共有する。第１タイムスロットｔ１と第２タイムスロットｔ２内において、コモン電極上の電圧が安定した後、表示部材１１がタッチ駆動の動作を行なう。
【００３２】
表示段階において、ゲートドライバ１１１が高レベルのゲート駆動信号を出力し、ゲート線を制御して高レベルの出力を行なうとともに、薄膜トランジスタＴをオンにしてデータドライバ１１２が高レベルのグレイスケール駆動信号を出力し、画素領域１１３に充電を行なって画面の表示を進行させる。
【００３３】
タッチ段階において、タッチドライバ１２２がタッチ電極１２１に駆動信号を印加し、かつコモン電極から検知信号を得て、タッチ部材がコモン電極とタッチ電極１２１との間に発生する静電容量の変化を検知する。
【００３４】
実施例において、表示段階におけるゲート駆動信号とグレイスケール駆動信号は、タッチ段階のタッチ信号を印加する時間と重畳し、時間が分かれない。よって、タッチ検知の高頻度の駆動を実現し、タッチ検知のサンプリングの時間が比較的長くなる。
【００３５】
図５はこの発明の実施例によるタッチ検知方法を示したフローチャートである。図面に開示する方法は、図１に開示する表示パネルにおいて進行させるタッチ検知である。図５に開示するタッチ検知方法は、次のステップを含む。
【００３６】
Ｓ５１のステップで、ゲートドライバがゲート線に対して順にゲート駆動の動作を行なう。
【００３７】
Ｓ５２のステップで、同一表示フレームの隣り合うゲートドライバの動作の間に第１タイムスロットを設け、隣り合う２つの表示フレームの隣り合うゲートドライバの動作の間に第２タイムスロットを設ける。
【００３８】
Ｓ５３のステップで、タッチドライバが第１タイムスロットと第２タイムスロット内においてタッチ電極に対して順にタッチ駆動の動作を行なう。
【００３９】
実施例によるタッチ検知方法は、上述する表示パネルの構造を構成するそれぞれの部材が対応して実行する、該タッチ検知方法は具体的には表示パネルの表示段階とタッチ段階の過程を参照することができる。よって、ここでは詳述しない。
【００４０】
以上をまとめると、この発明の実施例による表示パネルは、同一フレームの隣り合うゲートドライバの動作の間に第１タイムスロットを設け、隣り合う２つのフレームの隣り合うゲートドライバの動作の間に第２タイムスロットを設ける。タッチドライバは第１タイムスロットと第２タイムスロットとにおいてタッチ電極に対して順にタッチ駆動の動作を行う。よって表示信号とタッチ信号との間に重畳が発生せず、互いに干渉することなく、タッチ効果と表示の品質を高めることができる。
【００４１】
ここで再度説明しておく。以上はこの発明の好ましい実施の形態に過ぎず、この発明の実施の範囲を限定するものではない。よって、この発明の明細書と図面の内容を利用して行う均等の効果を有する構造、高低の変更、もしくは直接、間接的にその他関連する技術の分野に転用することは、いずれも同一の理論に基づくものであって、この発明の特許請求の範囲に含まれるものである。    
【符号の説明】
【００４２】
１１    表示部材
１１１    ゲートドライバ
１１２    データドライバ
１１３    画素領域
１２    タッチ部材
１２１    タッチ電極
１２１    タッチドライバ
Ｄ１，Ｄ２，…，Ｄｎ    データ線
Ｇ１，Ｇ２，…，Ｇｎ    ゲート線
Ｔ    薄膜トランジスタ
ｔ１    第１タイムスロット
ｔ２    第２タイムスロット
Ｔｘ    タッチ信号
Ｐ    画素電極    
Ｚ１，Ｚ２，…，Ｚｍ    エリアブロック
【図１】
2018508854.tif 000003
【図２】
2018508854.tif 000004
【図３】
2018508854.tif 000005
【図４】
2018508854.tif 000006
【図５】
2018508854.tif 000007
【国際調査報告】
2018508854.tif 000008
2018508854.tif 000009
2018508854.tif 000010
2018508854.tif 000011
2018508854.tif 000012